(57)【要約】【課題】下枠の上面を実質的にフラットに形成でき、シャッター本体が風等によりがたつくのを防止でき且つ閉鎖時に足や手の指等の異物を挟んだ場合にその異物の損傷を防止できるシャッターを提供すること。【解決手段】本発明のシャッター１は、シャッター本体２１の下端２２に突設した係止片３１と、係止片３１を下方に向けて付勢するバネ３５と、上面がフラットな下枠１１に設けて係止片３１を受ける受け溝４１とを備え、シャッターを閉鎖したときにシャッター本体２１の係止片３１が受け溝４１に挿入され、係止片が受け溝４１を塞ぐ異物に当接すると係止片３１はバネ３５の付勢力に抗して上方に移動し、係止片３１により異物が押し潰されるのを防止できる。【選択図】    図１
2004162425.tif 000002
【特許請求の範囲】
【請求項１】
シャッター本体の下端に突設した係止片と、係止片を下方に向けて付勢するバネと、上面がフラットな下枠に設けて係止片を受ける受け溝とを備え、係止片は上下方向に移動可能に設けてあり、受け溝は下枠長手方向の一部分のみに設けて係止片が挿入可能であり、シャッターを閉鎖したときにシャッター本体の係止片が受け溝に挿入され、係止片が受け溝を塞ぐ異物に当接すると係止片はバネの付勢力に抗して上方に移動することを特徴とするシャッター。
【請求項２】
シャッター本体を電動により閉鎖する自動閉鎖装置と、シャター本体の下端に設けた安全装置とを備え、安全装置はシャッター本体の下端にシャッター本体の幅方向に亘って設け、自動閉鎖時にシャッター本体の軌道上にある異物を検知するとシャッター本体の下降を停止することを特徴とする請求項１に記載のシャッター。
【請求項３】
シャッター本体の下端に突設した係止片と、上面がフラットな下枠に設けて係止片を受ける受け溝とを備え、受け溝は下枠長手方向の一部分のみに設けて係止片が挿入可能であり、シャッターを閉鎖したときにシャッター本体の係止片が受け溝に挿入されてシャッター本体が下枠に係止されることを特徴とするシャッター。
【請求項４】
受け溝の溝壁に排水孔を備えることを特徴とする請求項１〜３に記載のシャッター。
【請求項５】
シャッター本体は引き違い窓の室外側に設けており、受け溝は引き違い窓の召し合わせ位置に設けていることを特徴とする請求項１〜４のいずれかに記載のシャッター。
【発明の詳細な説明】
【０００１】
【発明の属する技術分野】
本発明は、上面がフラットな下枠を有するシャッターに関する。
【０００２】
【従来の技術】
この種のシャッターにおいて、特許文献１には、シャッター本体の下端をフラットな下枠に当接させてシャッターを閉鎖する構成が開示されている。
【０００３】
しかし、この特許文献１の技術では、シャッターの下端は下枠に当接しているだけなので、シャッターの閉鎖状態において、シャッター本体が風等によりがたつくおそれがある。
【０００４】
一方、室内の床面とベランダの床面とシャッター下枠の上面とを面一にするとともに、シャッター本体の下端にその幅方向に亘って突設する係止片を設け、下枠にはベランダ側に長手方向全体に亘って係止片の受け溝を形成し、係止片と受け溝との係合によりシャッター本体が風等によりがたつくのを防止する技術が公知である。
【０００５】
【特許文献１】
特開平９−８８４６１号公報
【０００６】
【発明が解決しようとする課題】
しかし、下枠にその長手方向に亘る受け溝を設けると、上面が実質的にフラットでなく、その部分が段差となってつまずきの原因になったり、足裏に段差による違和感を感じるという不都合がある。特に、近年は室内の床面とベランダの床面とシャッター下枠とを面一にして、実質的に連続したフラット面を形成する要求が高い。
【０００７】
また、シャッター下枠に設けた受け溝上に足や手の指等の異物があると、シャッター本体の下降時に受け溝に挿入される係止片が異物を圧して、異物を損傷するおそれがある。
【０００８】
本発明は、上述した事情に鑑みなされたもので、下枠の上面を実質的にフラットに形成でき、シャッター本体が風等によりがたつくのを防止でき且つ閉鎖時に足や手の指等の異物を挟んだ場合にその異物の損傷を防止できるシャッターの提供を目的とする。
【０００９】
【課題を解決するための手段】
上記目的を達成するために、請求項１に記載の発明は、シャッター本体の下端に突設した係止片と、係止片を下方に向けて付勢するバネと、上面がフラットな下枠に設けて係止片を受ける受け溝とを備え、係止片は上下方向に移動可能に設けてあり、受け溝は下枠長手方向の一部分のみに設けて係止片が挿入可能であり、シャッターを閉鎖したときにシャッター本体の係止片が受け溝に挿入され、係止片が受け溝を塞ぐ異物に当接すると係止片はバネの付勢力に抗して上方に移動することを特徴とする。
【００１０】
この請求項１に記載の発明では、シャッターを閉じるときには、シャッター本体の下端を下降し、シャッター本体の下端を下枠の上面に当接させる。シャッター本体の下端が下枠上面に当接すると同時に、シャッター本体の下端にある係止片が下枠に設けた受け溝に挿入されて、係止片が受け溝に係止する。この係止片と受け溝との係合により、フラット面の下枠にシャッターを閉じた場合でも、シャッター本体が風等により室内外方向にがたつくのを防止できる。
【００１１】
一方、シャッターの閉鎖動作の終了直前に、受け溝上に人の足や手の指、その他の異物があった場合には、シャッター部材の下降とともに係止片が異物に当接するが、係止片はバネの付勢力に抗して上方に移動するので、係止片により異物が押し潰されるのを防止できる。
【００１２】
受け溝は、下枠の長手方向の一部分のみに設けているので、人の通行に影響を与え難いとともに下枠の上面は実質的なフラット面が保持される。
【００１３】
請求項２に記載の発明は、請求項１に記載の発明において、シャッター本体を電動により閉鎖する自動閉鎖装置と、シャター本体の下端に設けた安全装置とを備え、安全装置はシャッター本体の下端にシャッター本体の幅方向に亘って設け、自動閉鎖時にシャッター本体の軌道上にある異物を検知するとシャッター本体の下降を停止することを特徴とする。
【００１４】
この請求項２に記載の発明では、請求項１に記載の作用効果を奏するとともに、自動閉鎖装置では、シャッターの閉鎖直前となる下枠から数ｃｍ手前では、シャッター本体の慣性力により停止することが困難であり、自動閉鎖装置を備えるシャッターでは、安全装置があっても閉鎖直前に受け溝上にある異物に対処できないため、安全装置を補助して安全性を高めることができる。
【００１５】
請求項３に記載の発明は、シャッター本体の下端に突設した係止片と、上面がフラットな下枠に設けて係止片を受ける受け溝とを備え、受け溝は下枠長手方向の一部分のみに設けて係止片が挿入可能であり、シャッターを閉鎖したときにシャッター本体の係止片が受け溝に挿入されてシャッター本体が下枠に係止されることを特徴とする。
【００１６】
この請求項３に記載の発明では、シャッターを閉じるときには、シャッター本体の下端を下枠の上端に当接させると、シャッター本体下端に設けられた係止片が下枠の受け溝に挿入されて、シャッター本体が下枠に係止される。したがって、シャッターを閉じると、シャッター本体が下枠に係止されるので、シャッター本体に内外方向の風圧が加わったり、人が寄りかかる等して、内外方向の力が作用した場合でも、その力を受けてシャッター本体が撓むのを防止できる。
【００１７】
受け溝は、下枠の長手方向の一部分のみに設けているので、人の通行に影響を与え難いとともに下枠の上面は実質的なフラット面が保持される。
【００１８】
請求項４に記載の発明は、請求項１〜３のいずれかに記載の発明において、受け溝の溝壁に排水孔を備えることを特徴とする。
【００１９】
この請求項４に記載の発明では、請求項１〜３のいずれかに記載に記載の発明と同様な作用効果を奏するとともに、受け溝に侵入した水や掃除のゴミ等は排水孔から排出されるから、受け溝に水やゴミ等が溜まるのを防止できる。
【００２０】
請求項５に記載の発明は、請求項１〜４のいずれかに記載の発明において、シャッター本体は引き違い窓の室外側に設けており、受け溝は引き違い窓の召し合わせ位置に設けていることを特徴とする。
【００２１】
この請求項５に記載の発明は、請求項１〜４のいずれかに記載の発明と同様な作用効果を奏するとともに、受け溝は、引き違い窓の召し合わせの位置に設けているので、通路の邪魔にならないとともに、障子の影になるので室内側から見え難く外観がよい。
【００２２】
【発明の実施の形態】
以下に、添付図面の図１〜図４を参照して本発明の第１実施の形態を詳細に説明する。図１は図３に示す閉鎖状態におけるシャッター本体の下端及び下枠の断面図であり、図２は図１の係止片と受け溝とを抜き出して示す正面図であり、図３は第１実施の形態にかかるシャッターを備える窓の縦断面図であり、図４は図３に示す窓の横断面図である。
【００２３】
本実施の形態にかかるシャッター１は、引き違い窓３の室外側に設けており、シャッター１の室外側にはベランダ５が設けられている。この実施の形態では、室内の床７、引き違い窓３の下枠９、シャッターの下枠１１、ベランダの床１３の各上面が連続して実質的に段差のないフラット面に形成されている。
【００２４】
シャッター１は、電動シャッターでありコントロールボックス１５の操作により、駆動制御部１７を介して電動により自動開閉される。シャッター１はシャッターケース１９と、シャッターケース１９内に巻かれて収納されるシャッター本体２１と、下枠１１とから構成されている。
【００２５】
シャッター本体２１には、その下端２２に安全装置２３がシャッター本体２１の幅方向全体に亘って設けられている。安全装置２３は、シャッター本体２１の下端２２に垂下されており、下枠１１やシャッター本体２１の軌道上にある異物に当接すると、回動により障害物を検知し、シャッター本体２１の下降が停止するようになっている。また、安全装置２３の下端にはタイト材２５、２７が取り付けられており、シャッター閉鎖時には下枠１１の上面に当接して、シャッター本体２１と下枠１１との間から雨水等が室内側に侵入するのを防止している。
【００２６】
また、シャッター本体２１の下端２２には、その幅方向の略中央で且つ室内側にがたつき防止部材２９が設けられている。がたつき防止部材２９は、正面視略Ｌ字形状（図２参照）の係止片３１と、係止片３１を回動自在に枢支する軸３３と、軸３３に巻かれて一端が係止片に係止して係止片３１を下方に向けて付勢するバネ３５とから構成されている。係止片３１の上端には係合部３７が形成されており、係合部３７は固定部材３８に当接して係止片３１の下方への回動が制限されている。この状態で、係止片の下端３１ａはシャッター本体２１の下端２２から下方に突設しており、係止片の下端３１ａが異物に当接して力を受けると上方に回動可能となっている。
【００２７】
一方、下枠１１には、がたつき防止部材２９に対応する位置（下枠の長手方向の略中央位置）に受け部材３９が設けられている。受け部材３９は下枠１１の長手方向全体に亘って設けることなく、その一部のみに部分的に設けているので、実質的に下枠１１の上面はフラットである。
【００２８】
受け部材３９は、下枠１１に形成された孔に挿入されてねじ４０にて下枠１１に固定されている。受け部材３９には係止片３１の受け溝４１が形成されており、受け溝４１の室外側溝壁４５には排水孔４３が形成されている。また、溝底４７は室内側溝壁４９から室外側溝壁４５に向けて下がるように傾斜しており、受け溝４１内の水やごみ等を排水孔４３側に案内している。
また、受け部材３９は、引き違い窓３の召し合わせ位置Ｓ（図４参照）に設けられている。したがって、受け部材３９は、障子の影になっているとともに通路の端に位置するので、通行の邪魔にならない。また、受け部材３９は障子３ａの影になるので室内側から見え難く、外観がよい。
【００２９】
次に、本実施の形態にかかるシャッター１の作用について説明する。シャッター１を閉じる場合には、例えば、コントロールボックス１５を操作することにより、シャッターケース１９からシャッター本体２１が巻き出されて下降する。そして、シャッター本体２１の下端２２に設けた安全装置２３が下枠１１に当接すると、安全装置２３がこれを検知してシャッター本体２１の下降停止信号を発する。シャッター本体２１の下降動作の停止直前に、シャッター本体２１は慣性力により僅かに下降し、安全装置２３は下枠１１との当接により、シャッター本体２１の下端２２から室外側に回動して、タイト材２５、２７が下枠１１に当接した位置でシャター本体２１の下降が停止し、シャッター１が閉鎖する。同時に、がたつき防止部材２９の係止片３１が受け溝４１内に上方から挿入される。
【００３０】
シャッター１の閉鎖状態では、シャッター本体２１の下端２２は下枠１１の上面に当接しているだけであり、風等によりシャッター本体２１が室内外方向に移動しようとすると、係止片３１が受け溝４１の溝壁に当接してシャッター本体２１のがたつきや振れが防止される。
また、シャッター本体２１の下降動作（閉鎖動作）中に、シャッター本体２１の軌道上に障害物がある場合には、安全装置２３が障害物に当ると安全装置２３が障害物を検知し、シャッター本体２１の下降を途中で停止する。
【００３１】
一方、シャッター１の閉鎖動作の終了直前、例えば、シャッター本体２１の下端２２が下枠１１から数ｃｍ上にあるときに、下枠１１に設けた受け部材３９の受け溝４１の上に、人の足や手の指等の異物があった場合には、受け溝４１は下降する安全装置２３からずれた位置にあるため、異物を検知できない場合がある。また、仮に安全装置２３が検知したとしても、閉鎖動作の終了直前にはシャッター本体２１が慣性力で下降してしまうので、シャッター本体２１の下降を停止することが困難である。この場合に、係止片３１は異物に当接するが、図２に一点鎖線で示すように、シャッター本体２１の下降にともなってバネ３５の付勢力に抗して係止片３１が上方に回動するので、係止片３１により異物が押し潰されて潰れるのを防止できる。
【００３２】
次に、図５を参照して本発明の第２実施の形態について説明するが、以下に説明において、上述した第１実施の形態と同一の作用効果を奏する部分には、同一の符号を付することによりその部分の詳細な説明を省略し、第１実施の形態と異なる点を主に説明する。
【００３３】
第２実施の形態では、下枠１１には、上方に向けて突設する係合突起５５が設けられている。一方、シャッター本体２１の下端２２に係合突起５５が嵌合する嵌合部５７が設けられており、この実施の形態では、嵌合部５７は安全装置２３内の空間であり、安全装置２３が嵌合部５７を兼ねている。
【００３４】
また、係合突起５５は、引き違い窓３の召し合わせ位置Ｓ（図４参照）に設けられている。したがって、嵌合突起５５が、下枠１１から上方に突設しても、嵌合突起５５は障子の影になっているので、フラット面になっている通路の邪魔にならない。また、嵌合突起５５は障子３ａの影になるので室内側から見え難く、外観がよい。
更に、安全装置２３が嵌合部５７を兼ねているので部品点数が少なく済み、構成が簡易である。
【００３５】
本発明の第３実施の形態は、第１実施の形態において、係止片３１が上方に移動しない構成としたものである。即ち、第１実施の形態において、シャッター本体２１の下端２２には、バネがなく、シャッター本体２１の下端より下方に突設した係止片３１のみが固定してある。
【００３６】
この第３実施の形態によれば、シャッターを閉じると、シャッター本体２１の下端２２に設けられた係止片３１が下枠１１の受け溝４１に挿入されて、シャッター本体２１が下枠１１に係止される。シャッターを閉じた状態で、シャッター本体２１に風圧あるいは人が寄りかかる等して内外方向の力が作用した場合でも、シャッター本体２１がその幅方向（下枠の長手方向）の一部、本実施の形態では略中央部で、受け溝４１に係止されているので、内外方向の力を受けてシャッター本体が撓むのを防止できる。更に、第３実施の形態においても第１実施の形態と同様に、受け溝４１は、下枠１１の長手方向の一部分のみに設けているので、人の通行に影響を与え難いとともに下枠１１の上面は実質的なフラット面が保持される。
【００３７】
本発明は、上述した実施の形態に限定されず、本発明の要旨を逸脱しない範囲で種々変形可能である。
例えば、受け溝４１は、受け部材３９に形成して下枠１１に取り付けることに限らず、下枠１１に直接形成するものであってもよい。
【００３８】
請求項１に記載の発明にあっては、係止片３１は回動することに限らず、垂直方向に移動自在に設けるとともにバネ３５により下方に付勢するものであってもよい。
【００３９】
請求項１及び３に記載の発明にあっては、シャッター本体２１は電動で自動閉鎖することに限らず、手動により閉じるものであっても良い。
請求項１〜４の発明にあっては、シャッターは、ドアの室外側に設けるものであってもよく、また窓に用いられる場合には引き違い窓に限らず、窓種は制限されない。
【００４０】
【発明の効果】
請求項１に記載の発明によれば、シャッター本体の下端が下枠上面に当接すると同時に、シャッター本体の係止片が下枠に設けた受け溝に挿入して係止するので、フラット面の下枠にシャッターを閉じた場合でも、シャッター本体が風等により室内外方向にがたつくのを防止できる。
【００４１】
シャッターの閉鎖動作の終了直前に受け部材の上に異物があった場合には、シャッター部材の下降とともに係止片が異物に当接するが、係止片はバネの付勢力に抗して上方に移動するので、異物が押し潰されるのを防止できる。
受け部材は、下枠の長手方向の一部に部分的に設けているので、下枠の上面では、床面に連続する実質的なフラット面が保持される。
【００４２】
請求項２に記載の発明によれば、請求項１に記載の効果を奏するとともに、自動閉鎖装置では、シャッターの閉鎖直前となる下枠から数ｃｍ手前では、シャッター本体の慣性力により停止することが困難であるから、安全装置があっても閉鎖直前の異物に対処できないため、安全装置を補助して安全性を高めることができる。
【００４３】
請求項３に記載の発明によれば、シャッターを閉じると、シャッター本体の下端に設けた係止片が下枠に設けた受け溝に挿入されて係止されるので、シャッター本体に風圧や人が寄りかかる等して、内外方向の力が作用した場合でも、その力を受けてシャッター本体が撓むのを防止できる。
受け溝は、下枠の長手方向の一部分のみに設けているので、人の通行に影響を与え難いとともに下枠の上面は実質的なフラット面が保持される。
【００４４】
請求項４に記載の発明によれば、請求項１〜３のいずれかに記載に記載の発明と同様な効果を奏するとともに、受け溝に侵入した水や掃除のゴミ等は排水孔から排出されるから、水やゴミ等が溜まるのを防止できる。
【００４５】
請求項５に記載の発明によれば、請求項１〜４のいずれかに記載の発明と同様な効果を奏するとともに、受け溝は、引き違い窓の召し合わせの位置に設けているので、通路の邪魔にならないとともに、障子の影になるので室内側から見え難く外観がよい。
【図面の簡単な説明】
【図１】図３に示す閉鎖状態におけるシャッター本体の下端及び下枠の断面図である。
【図２】図１の係止片と受け溝とを抜き出して示す正面図である。
【図３】第１実施の形態にかかるシャッターを備える窓の縦断面図である。
【図４】図３に示す窓の横断面図である。
【図５】第２実施の形態にかかるシャッターであって、閉鎖状態におけるシャッター本体の下端及び下枠の断面図である。
【符号の説明】
１    シャッター
３    引き違い窓
１１  下枠
２１  シャッター本体
２２  下端
３１  係止片
３５  バネ
４１  受け溝
４３  排水孔
【図１】
2004162425.tif 000003
【図２】
2004162425.tif 000004
【図３】
2004162425.tif 000005
【図４】
2004162425.tif 000006
【図５】
2004162425.tif 000007